(57)【要約】【課題】成形装置に対して溶融状態の合成樹脂を均一に供給できるようにする。【解決手段】溶融樹脂供給路１５の径に対応した幅を有する板材が当該板材の上流側の部分から当該板材の下流側の部分に向かうにつれて反時計回り方向／時計回り方向に１８０度ねじられた形状を有する左ねじり羽根６０Ａ／右ねじり羽根６０Ｂのうちの一方と他方とを溶融樹脂供給路１５の下流側に向かうにつれて交互に有する交互ねじり装置５０を有する。隣接する左ねじり羽根６０Ａ／右ねじり羽根６０Ｂ同士は連結されている。交互ねじり装置５０の下流側には溶融樹脂供給路１５における溶融樹脂の流れに対して抵抗を付与する多孔状抵抗材７０を有する。【選択図】図２
2012245647.tif 000002
【特許請求の範囲】
【請求項１】
溶融状態の合成樹脂を成形装置に供給する溶融樹脂供給路に設けられる装置であって、  前記溶融樹脂供給路における前記溶融状態の合成樹脂の流れを当該溶融樹脂供給路の下流側に向かうにつれて時計回り方向にねじる右ねじり部及び同じく反時計回り方向にねじる左ねじり部のうちの一方と他方とを、当該溶融樹脂供給路の下流側に向かうにつれて交互に有する交互ねじり装置を有する、
溶融樹脂整流装置。
【請求項２】
溶融状態の合成樹脂を成形装置に供給する円形断面の溶融樹脂供給路に設けられる装置であって、
前記溶融樹脂供給路の径に対応した幅を有する板材が当該板材の上流側の部分から当該板材の下流側の部分に向かうにつれて時計回り方向にねじられた形状を有する右ねじり羽根及び同じく反時計回り方向にねじられた形状を有する左ねじり羽根のうちの一方と他方とを、当該溶融樹脂供給路の下流側に向かうにつれて交互に有する交互ねじり装置を有する、
溶融樹脂整流装置。
【請求項３】
請求項２に記載の溶融樹脂整流装置であって、
前記右ねじり羽根及び前記左ねじり羽根とも、当該板材の上流側の部分から当該板材の下流側の部分に向かうにつれて１８０度ねじられた形状を有している、
溶融樹脂整流装置。
【請求項４】
請求項２又は請求項３に記載の溶融樹脂整流装置であって、
前記右ねじり羽根及び／又は前記左ねじり羽根の上流側の縁部及び／又は下流側の縁部には、隣接する当該左ねじり羽根及び／又は右ねじり羽根の下流側の縁部及び／又は上流側の縁部に連結されるための連結係合用溝部が形成されている、
溶融樹脂整流装置。
【請求項５】
請求項１〜請求項４のいずれかに記載の溶融樹脂整流装置であって、
前記交互ねじり装置の下流側に、当該溶融樹脂供給路における前記溶融状態の合成樹脂の流れに対して抵抗を付与する抵抗材を有する、
溶融樹脂整流装置。
【請求項６】
請求項５に記載の溶融樹脂整流装置であって、
前記抵抗材は、当該溶融樹脂供給路を塞ぐとともに当該抵抗付与部材の上流端と下流端との間を貫通する多数の孔を有するものである、
溶融樹脂整流装置。
【発明の詳細な説明】
【技術分野】
【０００１】
本発明は、成形装置に対して供給される溶融状態の合成樹脂を整流する溶融樹脂整流装置に関するものである。
【背景技術】
【０００２】
合成樹脂（プラスチック）の製品は、溶融状態の合成樹脂（溶融樹脂ということとする）が成形装置において成形されて製造される。
【０００３】
例えば、図１，図６，図７に示すように、この成形装置１００は、圧縮成形によって、合成樹脂を成形するものである。
下型１０２は位置固定的に設けられている。上型１０４は昇降可能である。上型１０４が最も下降した状態で、下型１０２の上面（内面）と上型１０４の下面（内面）との間にキャビティ１０６（図１）が形成される。
下型１０２には、下型溶融樹脂供給路１０３が形成されている。下型溶融樹脂供給路１０３の上流端は、下型１０２の側面に開口している。下型溶融樹脂供給路１０３は、下型１０２の内部をほぼ水平に延びた後に、ほぼ鉛直上方に向かっている。下型溶融樹脂供給路１０３の下流端は、下型１０２の上面に開口している。下型溶融樹脂供給路１０３は、円形断面を有している。
【０００４】
そして、図６及び図７に示すように、上型１０４が上昇した状態で、下型溶融樹脂供給路１０３を通して、下型１０２の上面に対して溶融樹脂Ｒが供給され、その後、上型１０４が下降して下型１０２に接近する（図１参照。なお、図１においては溶融樹脂Ｒの図示なし）。
こうして、溶融樹脂Ｒが、下型１０２及び上型１０４（その各内面）によって圧縮され、下型１０２及び上型１０４によって形成されるキャビティ１０６内に充填した状態となり、それが冷却固化することによって合成樹脂の製品が成形され、その後に上型１０４が上昇し、その合成樹脂の製品が取り出される。
【０００５】
ところで、溶融樹脂は溶融樹脂供給路（溶融樹脂供給管１２０等）を経て溶融樹脂供給源から成形装置１００に対して供給されるのであるが、その溶融樹脂供給路内（その下流端）において、溶融樹脂の流れ（速度）が均一であれば、特に問題はない。すなわち、下型１０２の上面に対して、溶融樹脂Ｒが均一に供給される（図６参照）。
【０００６】
しかしながら、特に、溶融樹脂供給路の途中に分岐部・合流部があったり、曲がった部分があったりすると、それによって、溶融樹脂供給路内における溶融樹脂の流速が不均一になりやすい。すなわち、溶融樹脂供給路の断面において、溶融樹脂の流速にムラが生じやすい。
もっとも、溶融樹脂供給路の断面における中心部と周縁部との間においては、本来的に流速に違いはあるのであるが、中心部から同じ距離の位置においても中心部からの方向によって流速に違いがある、というのが流速のムラなのである。
【０００７】
そして、溶融樹脂供給路の下流端においても溶融樹脂の流速が不均一であると、図７に示すように、下型１０２の上面に対して、溶融樹脂Ｒが均一に供給されない。
すなわち、前述したように、溶融樹脂供給路の下流端は、下型１０２内に形成された下型溶融樹脂供給路の上流端に接続され、その下型溶融樹脂供給路の下流端は下型１０２の上面（内面）に接続されている（開口している）。
そして、溶融樹脂供給路の下流端において溶融樹脂の流速が不均一であると、その溶融樹脂Ｒは、下型溶融樹脂供給路１０３内も流速が不均一のまま流れ、下型１０２の上面において均等に各方向に流れず１つの方向に偏って流れたりする。
【０００８】
このように下型１０２の上面に対して溶融樹脂Ｒが不均一に供給されると、下型１０２及び上型１０４（その各内面）によって溶融樹脂Ｒが圧縮される際においても、溶融樹脂Ｒの厚さにムラが生じ、結果的に成形される合成樹脂の製品の肉厚に偏りが生じたり（さらには、樹脂の欠落が生じる場合もあり得る）、下型１０２及び／又は上型１０４に損傷が生じる場合もある。
【０００９】
なお、成形装置に対する樹脂の供給について改良を図った発明として、特許文献１に開示されているものもある。
【先行技術文献】
【特許文献】
【００１０】
【特許文献１】特開２００９−２３４０００号公報
【発明の概要】
【発明が解決しようとする課題】
【００１１】
本発明は、成形装置に対して溶融状態の合成樹脂を均一に供給できるようにする装置を提供することを課題とする。
【課題を解決するための手段】
【００１２】
上記の課題を解決するために、請求項１に係る発明は、溶融状態の合成樹脂を成形装置に供給する溶融樹脂供給路に設けられる装置であって、前記溶融樹脂供給路における前記溶融状態の合成樹脂の流れを当該溶融樹脂供給路の下流側に向かうにつれて時計回り方向にねじる右ねじり部及び同じく反時計回り方向にねじる左ねじり部のうちの一方と他方とを、当該溶融樹脂供給路の下流側に向かうにつれて交互に有する交互ねじり装置を有する、溶融樹脂整流装置である。
【００１３】
この発明の溶融樹脂整流装置では、溶融状態の合成樹脂は、溶融樹脂供給路の下流側に向かうにつれて交互ねじり装置の右ねじり部及び左ねじり部の一方と他方とを交互に流れることによって、時計回り方向・反時計回り方向の各方向に交互にらせん状に流れる。こうして、その溶融状態の合成樹脂は撹拌され、その流速は均一にされる。
このため、この発明の溶融樹脂整流装置によって、均一な流速の合成樹脂が成形装置に供給されることになり、肉厚が均一な合成樹脂の製品が製造され得ることになる。
【００１４】
請求項２に係る発明は、溶融状態の合成樹脂を成形装置に供給する円形断面の溶融樹脂供給路に設けられる装置であって、前記溶融樹脂供給路の径に対応した幅を有する板材が当該板材の上流側の部分から当該板材の下流側の部分に向かうにつれて時計回り方向にねじられた形状を有する右ねじり羽根及び同じく反時計回り方向にねじられた形状を有する左ねじり羽根のうちの一方と他方とを、当該溶融樹脂供給路の下流側に向かうにつれて交互に有する交互ねじり装置を有する、溶融樹脂整流装置である。
【００１５】
この発明の溶融樹脂整流装置では、溶融状態の合成樹脂は、交互ねじり装置の右ねじり羽根／左ねじり羽根によって時計回り方向／反時計回り方向にらせん状に流れる。
そして、その交互ねじり装置は、右ねじり羽根及び左ねじり羽根のうちの一方と他方とが溶融樹脂供給路の下流側に向かうにつれて交互に有しているため、溶融状態の合成樹脂は、溶融樹脂供給路の下流側に向かうにつれて、時計回り方向・反時計回り方向の各方向に交互にらせん状に流れる。
こうして、その溶融状態の合成樹脂は撹拌され、その流速は均一にされる。
このため、この発明の溶融樹脂整流装置によって、均一な流速の合成樹脂が成形装置に供給されることになり、肉厚が均一な合成樹脂の製品が製造され得ることになる。
る。
【００１６】
請求項３に係る発明は、請求項２に係る発明の溶融樹脂整流装置であって、前記右ねじり羽根及び前記左ねじり羽根とも、当該板材の上流側の部分から当該板材の下流側の部分に向かうにつれて１８０度ねじられた形状を有している、溶融樹脂整流装置である。
【００１７】
この発明の溶融樹脂整流装置は、請求項２に係る発明の溶融樹脂整流装置の作用効果に加えて、次の作用効果が得られる。
すなわち、交互ねじり装置の右ねじり羽根及び左ねじり羽根とも、当該板材の上流側の部分から当該板材の下流側の部分に向かうにつれて１８０度ねじられた形状を有しているために、溶融状態の合成樹脂は、溶融樹脂供給路の下流側に向かうにつれて、時計回り方向・反時計回り方向の各方向に交互に１８０度の回転角度でらせん状に流れる。
このため、その溶融状態の合成樹脂は適切に撹拌され、その流速は均一にされる。
【００１８】
すなわち、各方向への回転角度が小さいものであると、撹拌の程度が小さいものとなり、各方向への回転角度が大きいものであると、結果的に交互ねじり装置の長さが長いものとなる必要があり、装置が大きくなってしまう。
その点、この発明では、装置の小型化を図りつつ、溶融状態の樹脂を十分に撹拌することができるのである。
【００１９】
請求項４に係る発明は、請求項２又は請求項３に係る発明の溶融樹脂整流装置であって、前記右ねじり羽根及び／又は前記左ねじり羽根の上流側の縁部及び／又は下流側の縁部には、隣接する当該左ねじり羽根及び／又は右ねじり羽根の下流側の縁部及び／又は上流側の縁部に連結されるための連結係合用溝部が形成されている、溶融樹脂整流装置である。
【００２０】
この発明の溶融樹脂整流装置は、請求項２又は請求項３に係る発明の溶融樹脂整流装置の作用効果に加えて、次の作用効果が得られる。
すなわち、交互ねじり装置の隣接する右ねじり羽根／左ねじり羽根同士は、連結係合用溝部によって容易に適切に連結される。
このため、交互ねじり装置が容易に製造され得る。
【００２１】
請求項５に係る発明は、請求項１〜請求項４のいずれかに係る発明の溶融樹脂整流装置であって、前記交互ねじり装置の下流側に、当該溶融樹脂供給路における前記溶融状態の合成樹脂の流れに対して抵抗を付与する抵抗材を有する、溶融樹脂整流装置である。
【００２２】
この発明の溶融樹脂整流装置では、請求項１〜請求項４のいずれかに係る発明の溶融樹脂整流装置の作用効果に加えて、次の作用効果が得られる。
この溶融樹脂整流装置は、交互ねじり装置の下流側に抵抗材を有しており、抵抗材のよって、溶融樹脂供給路における溶融状態の合成樹脂の流れに対して抵抗が付与される。
これによって、溶融樹脂供給路のうち抵抗材よりも上流側において、溶融状態の合成樹脂が高圧となる。このため、高圧の溶融状態の合成樹脂が交互ねじり装置を流れることとなり、その分、その溶融状態の合成樹脂は、交互ねじり装置によって、より大きく撹拌されることとなる。
こうして、この発明の溶融樹脂整流装置では、溶融状態の合成樹脂の流速はより均一にされる。このため、より均一な流速の合成樹脂が成形装置に供給されることになり、肉厚がより均一な合成樹脂の製品が製造され得ることになる。
【００２３】
請求項６に係る発明は、請求項５に係る発明の溶融樹脂整流装置であって、前記抵抗材は、当該溶融樹脂供給路を塞ぐとともに当該抵抗付与部材の上流端と下流端との間を貫通する多数の孔を有するものである、溶融樹脂整流装置である。
【００２４】
この発明の溶融樹脂整流装置では、請求項５に係る発明の溶融樹脂整流装置の作用効果に加えて、次の作用効果が得られる。
すなわち、この溶融樹脂整流装置では、抵抗材が、溶融樹脂供給路を塞ぐとともに当該抵抗付与部材の上流端と下流端との間を貫通する多数の孔を有するものであるため、容易に確実に溶融状態の合成樹脂に対して抵抗を付与することができる。
【図面の簡単な説明】
【００２５】
【図１】本発明の一実施例の溶融樹脂整流装置が成形装置（その一例）に対して接続された状態を示す図である。
【図２】本発明の一実施例の溶融樹脂整流装置を示す断面図である。
【図３】本発明の一実施例の溶融樹脂整流装置の示す分解斜視図（一部破断）である。
【図４】本発明の一実施例の溶融樹脂整流装置のうちの交互ねじり装置を示す斜視図（一部破断）である。
【図５】本発明の一実施例の溶融樹脂整流装置のうちの交互ねじり装置を示す分解斜視図である。
【図６】本発明の一実施例の溶融樹脂整流装置が接続された成形装置（その一例）を示す図である。
【図７】本発明の一実施例の溶融樹脂整流装置が接続されていない成形装置（その一例）を示す図である。
【発明を実施するための形態】
【００２６】
次に、本発明の一実施例について図面に基づいて説明する。
図１及び図６等に示すように、溶融樹脂整流装置１０は、溶融樹脂供給管１２０と成形装置１００との間に設けられる。
すなわち、溶融樹脂整流装置１０の下流端は、成形装置１００の下型溶融樹脂供給路１０３（その上流端）に対して接続される。
溶融樹脂整流装置１０の上流端には、接続ブロック１１０を介して、溶融樹脂供給管１２０（その下流端）が接続される。溶融樹脂供給管１２０の上流端は、溶融樹脂供給源（図示省略）に接続されている。
そして、図２に示すように、溶融樹脂供給管１２０，接続ブロック１１０，溶融樹脂整流装置１０にわたって、溶融樹脂供給路１５が形成されている。別の見方をすれば、溶融樹脂整流装置１０は溶融樹脂供給路１５に対して設けられているともいえる。
【００２７】
なお、この態様に限らず、溶融樹脂整流装置１０の下流端には別の溶融樹脂供給管（１２０）（その上流端）が接続され、その溶融樹脂供給管（１２０）の下流端が成形装置１００の下型溶融樹脂供給路１０３の上流端に接続されていてもよい。
別の見方をすれば、溶融樹脂整流装置１０は、溶融樹脂供給管１２０（その途中に接続ブロック１１０等があってもよい）の途中に設けられてもよい。
【００２８】
図２及び図３に示すように、溶融樹脂整流装置１０は、上流側の主管部２０，下流側の先管部４０を有しており、主管部２０及び先管部４０は螺合されて結合されている。
すなわち、主管部２０のうちの下流側の部分には、嵌合部２１が形成されている。嵌合部２１は、主管部２０のうちの他の部分よりも外径が小さくされている。嵌合部２１の外面にはおねじ２２が形成されている。それに対して、先管部４０のうちの上流側の略半部における内面にはめねじ４２が形成されている。そして、両者が螺合されて結合されている。
【００２９】
図２に示すように、主管部２０のうちの下流側の部分を除く大半の部分の内径は、接続ブロック１１０における溶融樹脂供給路１５の径よりも若干大径に形成されている（その部分のことを被挿入部３０ということとする）。
図２及び図３に示すように、被挿入部３０より下流側の部分の内径（溶融樹脂供給路１５の径）は、被挿入部３０の内径よりもよりも若干小径とされている（接続ブロック１１０における溶融樹脂供給路１５の径と同一である）。その境界部分には、主管部２０の長さ方向に垂直に円環状の段差面２４が形成されている。
【００３０】
図２及び図３に示すように、主管部２０には、交互ねじり装置５０が配設されている。
図２，図４，図５に示すように、交互ねじり装置５０は、複数（この場合４つ）のねじり羽根６０，羽根外管５２，一対の回転止めカラー５６を有している。
【００３１】
４つのねじり羽根６０は、羽根外管５２に収容されている。
羽根外管５２は、円管状（薄肉の円筒状）をしている。羽根外管５２の外径は、主管部２０の被挿入部３０の内径に対応している。
羽根外管５２の内部が、溶融樹脂供給路１５（その長さ方向における一部）を形成する。
【００３２】
各ねじり羽根６０は、羽根外管５２の内径（溶融樹脂供給路１５の径）に対応する長さの幅を有する板材が、その上流側の部分から下流側の部分に向かうにつれて徐々に１８０度ねじられた形状を有している。
ねじり羽根６０（６０Ａ，６０Ｂ）には２種類のものがある。一方が左ねじり羽根６０Ａであり、他方が右ねじり羽根６０Ｂである。
左ねじり羽根６０Ａは、その上流側の部分から下流側の部分に向かうにつれて左方向（反時計回り方向）に徐々にねじられ、最終的には１８０度ねじられた形状をしている。右ねじり羽根６０Ｂは、その上流側の部分から下流側の部分に向かうにつれて右方向（時計回り方向）に徐々にねじられ、最終的には１８０度ねじられた形状をしている。
なお、溶融樹脂供給路１５（羽根外管５２における溶融樹脂供給路１５）のうち、左ねじり羽根６０Ａが存在する部分が左ねじり部であり、同じく右ねじり羽根６０Ｂが存在する部分が右ねじり部である。
【００３３】
図４及び図５に示すように、各ねじり羽根６０の上流端及び下流端には、平板状の縁部である平板縁部６２が形成されている。図５に示すように、平板縁部６２（その幅方向における中央部）には、連結係合用溝部６４が形成されている。
図４及び図５に示すように、すべてのねじり羽根６０は、隣接する各ねじり羽根６０の連結係合用溝部６４同士が係合されて、羽根外管５２の長さ方向に連結されている。
上流側から下流側に向けて、左ねじり羽根６０Ａと右ねじり羽根６０Ｂとが交互に連結されている。隣接する各ねじり羽根６０の平板縁部６２同士は、直角の角度間隔を隔てている。その状態で連結係合用溝部６４同士が結合されているのである。
【００３４】
図２〜図５に示すように、各回転止めカラー５６は、羽根外管５２の上流端及び下流端に固定されている。
各回転止めカラー５６は、円環状をしている。
図２に示すように、各回転止めカラー５６の外径は、羽根外管５２の外径と同一である（すなわち、主管部２０の被挿入部３０の内径に対応している）。
各回転止めカラー５６の内径（溶融樹脂供給路１５の径）は、主管部２０のうちの被挿入部３０より下流側の部分の内径（溶融樹脂供給路１５の径）と同一であり、接続ブロック１１０における溶融樹脂供給路１５の径と同一である。
【００３５】
図２，図４，図５に示すように、各回転止めカラー５６の内側（上流側の回転止めカラー５６の下流側，下流側の回転止めカラー５６の上流側）の面には、一対の回り止め係合用溝部５７が形成されている。
上流側の回転止めカラー５６においては、一対の回り止め係合用溝部５７は、最も上流側のねじり羽根６０（左ねじり羽根６０Ａ）の上流側の平板縁部６２（その両端部）に対応して形成されている。
下流側の回転止めカラー５６においては、一対の回り止め係合用溝部５７は、最も下流側のねじり羽根６０（右ねじり羽根６０Ｂ）の下流側の平板縁部６２（その両端部）に対応して形成されている。
すなわち、上流側の回転止めカラー５６の一対の回り止め係合用溝部５７と、下流側の回転止めカラー５６の一対の回り止め係合用溝部５７とは、直角の角度間隔を隔てている。
【００３６】
そして、最も上流側のねじり羽根６０（左ねじり羽根６０Ａ）の上流側の平板縁部６２（その両端部）は、上流側の回転止めカラー５６の一対の回り止め係合用溝部５７に嵌合されている。
また、最も下流側のねじり羽根６０（右ねじり羽根６０Ｂ）の下流側の平板縁部６２（その両端部）は、下流側の回転止めカラー５６の一対の回り止め係合用溝部５７に嵌合されている。
こうして、４つのねじり羽根６０は回り止めされている。
【００３７】
図２及び図３に示すように、交互ねじり装置５０は、主管部２０の被挿入部３０に挿入され、その下流端である下流側の回転止めカラー５６（その下流側の端部）は、段差面２４に当接している。交互ねじり装置５０は、主管部２０（被挿入部３０）に対して回り止めされている。
【００３８】
図２及び図３に示すように、先管部４０のおねじ２２のすぐ下流側には、多孔状抵抗材７０が配設されている。多孔状抵抗材７０は、厚肉円板状をなし、その軸線方向と平行に、多数の貫通孔７２が均一に形成されている。
先管部４０のおねじ２２のすぐ下流側の部分は、おねじ２２よりも若干小径の嵌合孔部４４とされている。その下流側における内径は、嵌合孔部４４よりも若干小径とされている（主管部２０のうちの段差面２４よりも下流側の内径と同一である。）。その境界部分には、先管部４０の長さ方向に垂直に円環状の段差面４６が形成されている。
多孔状抵抗材７０は、嵌合孔部４４に嵌合されており、その下流端（その周縁部）は段差面４６に当接し、その上流端（その周縁部）は主管部２０の嵌合部２１の下流端と当接している。
【００３９】
次に、この溶融樹脂整流装置１０の作用効果について説明する。
図１及び図６に示すように、溶融樹脂供給源（図示省略）から溶融樹脂供給管１２０，接続ブロック１１０（いずれもその溶融樹脂供給路１５）を経て溶融樹脂整流装置１０（その溶融樹脂供給路１５）に流入した溶融状態の合成樹脂（溶融樹脂）は、溶融樹脂整流装置１０（その溶融樹脂供給路１５）を通って、成形装置１００の下型溶融樹脂供給路１０３に流入する。なお、図１〜図５においては、溶融樹脂（Ｒ）は図示されていない。
【００４０】
その際、図２及び図４に示すように、溶融樹脂は、溶融樹脂整流装置１０の交互ねじり装置５０において、反時計回り方向・時計回り方向の各方向に交互にらせん状に流れる。
すなわち、最も上流側（１番目）のねじり羽根６０（左ねじり羽根６０Ａ）においては、溶融樹脂は、反時計回り方向に回転しつつ下流側に流れ、最終的には１８０度回転しつつ下流側に流れる。こうして、反時計回り方向にらせん状に流れる。
次（２番目）のねじり羽根６０（右ねじり羽根６０Ｂ）においては、溶融樹脂は、時計回り方向に回転しつつ下流側に流れ、最終的には１８０度回転しつつ下流側に流れる。こうして、時計回り方向にらせん状に流れる。
次（３番目）のねじり羽根６０（左ねじり羽根６０Ａ）においては、最も上流側のねじり羽根６０（左ねじり羽根６０Ａ）と同様に、溶融樹脂は、反時計回り方向にらせん状に流れる。
最後（４番目）のねじり羽根６０（右ねじり羽根６０Ｂ）においては、２番目のねじり羽根６０（右ねじり羽根６０Ｂ）と同様に、溶融樹脂は、時計回り方向にらせん状に流れる。
【００４１】
以上のように、交互ねじり装置５０において、溶融樹脂は、反時計回り方向・時計回り方向の各方向に交互にらせん状に流れることによって撹拌され、その流速は均一にされる。
【００４２】
また、図２及び図３に示すように、上述のように交互ねじり装置５０を流れた溶融樹脂は、その下流側において多孔状抵抗材７０（その各貫通孔７２）を流れる。
多孔状抵抗材７０においては、溶融樹脂が流れることができるのは貫通孔７２のみであり、すべての貫通孔７２の断面積の合計は、それより上流側における溶融樹脂供給路１５の断面積よりも小さい。
このため、多孔状抵抗材７０においては、溶融樹脂の流れに抵抗が付与される。
これによって、溶融樹脂供給路１５のうちの多孔状抵抗材７０よりも上流側の部分の溶融樹脂の圧が高いものとなる。
このため、上述したように交互ねじり装置５０を流れる溶融樹脂は、高圧のため、反時計回り方向・時計回り方向の各方向に交互にらせん状に流れる際に、より大きく撹拌され、その流速はより均一にされるのである。
【００４３】
以上のようにして、溶融樹脂は、溶融樹脂整流装置１０を流れることによって、流速が均一なものとされる。
このため、図６に示すように、下型溶融樹脂供給路１０３を流れる溶融樹脂Ｒの流速も均一なものとなり、下型１０２の上面において、溶融樹脂Ｒは、各方向に均一に流れる。
このため、下型１０２の上面（内面）と上型１０４の下面（内面）とによって圧縮される溶融樹脂Ｒの厚さにムラが生じず、結果的に成形される合成樹脂の製品の肉厚が均一なものとなる。
こうして、成形装置１００によって、合成樹脂の製品が適切に製造されるのである。
【００４４】
なお、上記のものはあくまで本発明の一実施例にすぎず、当業者の知識に基づいて種々の変更を加えた態様で本発明を実施できることはもちろんである。
【００４５】
例えば、交互ねじり装置５０においては、左ねじり羽根６０Ａ及び右ねじり羽根６０Ｂは、２つずつでなく、３つずつ、又はそれ以上設けられていてもよい。
また、左ねじり羽根６０Ａ及び右ねじり羽根６０Ｂは、板材が１８０度ねじられるものに限らず、９０度や３６０度等、ねじられる角度は種々のものがありえる。
【符号の説明】
【００４６】
１０  溶融樹脂整流装置
１５  溶融樹脂供給路
５０  交互ねじり装置
６０Ａ（６０）  左ねじり羽根（ねじり羽根）
６０Ｂ（６０）  右ねじり羽根（ねじり羽根）
７０  多孔状抵抗材（抵抗材）
【図１】
2012245647.tif 000003
【図２】
2012245647.tif 000004
【図３】
2012245647.tif 000005
【図４】
2012245647.tif 000006
【図５】
2012245647.tif 000007
【図６】
2012245647.tif 000008
【図７】
2012245647.tif 000009